(57)【要約】      （修正有）【課題】車を運転する時に電子装置を安全に使用できる車用電子装置システム及び車用電子装置の表示拡大方法を提供する。【解決手段】車用電子装置システムは、車２００のセンターコンソール２２０上に固定される第一固定装置１２０と、車２００のフロントガラス２４０に隣接したセンターコンソール２２０上に固定される第二固定装置１４０と、第一固定装置１２０に固定されている撮影装置１６０と、投影装置１８０と、を備える。第一固定装置１２０は、電子装置を固定し、投影装置１８０は、第二固定装置１４０に固定されているプロジェクタ１８１と、車のフロントガラス２４０に貼設されている投影フィルム１８２と、を備える。撮影装置１８０は、第一固定装置１２０上に固定されている電子装置の映像を撮影し、且つ投影装置１８０に送信し、投影装置１８０は、受信した電子装置の映像を投影フィルム１８２上に投影する。【選択図】図１
2016078831.tif 000002
【特許請求の範囲】
【請求項１】
電子装置の映像を車のフロントガラスに投影させるための車用電子装置システムにおいて、車のセンターコンソール上に固定される第一固定装置と、車のフロントガラスに隣接したセンターコンソール上に固定される第二固定装置と、前記第一固定装置に固定されている撮影装置と、投影装置と、を備え、前記第一固定装置は、電子装置を固定し、前記投影装置は、前記第二固定装置に固定されているプロジェクタと、車のフロントガラスに貼設されている投影フィルムと、を備え、前記撮影装置は、前記第一固定装置上に固定されている電子装置の映像を撮影し、且つ前記投影装置に送信し、前記投影装置は、受信した電子装置の映像を前記投影フィルム上に投影することを特徴とする車用電子装置システム。
【請求項２】
前記第一固定装置は、センターコンソール上に固定されているベースと、前記ベースに回転可能に枢着されている固定台と、前記固定台の一端に回転可能に枢着されているホルダを備え、前記電子装置は、前記固定台に固定され、前記撮影装置は、前記ホルダの固定台とは反対側の一端に固定され、前記固定台は、前記ベースに対して角度を調整することができ、これにより、運転者は、電子装置を適当な操作位置に調整することができ、前記ホルダは、前記固定台に対して角度を調整することができ、これにより、前記撮影装置の角度を調整して、前記電子装置のスクリーンの映像を完全に撮影することができることを特徴とする請求項１に記載の車用電子装置システム。
【請求項３】
前記撮影装置は、撮影ユニット、記憶ユニット、処理ユニット及び通信ユニットを備え、前記撮影ユニットは、前記電子装置に表示される映像を撮影し、前記記憶ユニットは、前記撮影ユニットによって撮影された映像を格納し、前記処理ユニットは、前記記憶ユニットに格納された映像をデジタル信号に変換し、前記通信ユニットは、前記処理ユニットによって変換されたデジタル信号を前記投影装置に送信することを特徴とする請求項１又は２に記載の車用電子装置システム。
【請求項４】
前記プロジェクタは、通信ユニット、処理ユニット、記憶ユニット及び投影ユニットを備え、前記通信ユニットは、前記撮影装置からのデジタル信号を受信し、前記処理ユニットは、デジタル信号を映像データに変換し、前記記憶ユニットは、映像データを格納し、前記投影ユニットは、映像データに基づいて前記投影フィルム上に映像を投影することを特徴とする請求項３に記載の車用電子装置システム。
【請求項５】
前記投影フィルムは、透明なホログラフィック投影フィルムであり、運転者は、前記投影フィルムを介して交通情報を見ることができることを特徴とする請求項１ないし請求項４のいずれか１項に記載の車用電子装置システム。
【請求項６】
電子装置の映像を車のフロントガラスに投影させるための車用電子装置システムに応用される車用電子装置の表示拡大方法であって、前記車用電子装置システムは、車のセンターコンソール上に固定される第一固定装置と、車のフロントガラスに隣接したセンターコンソール上に固定される第二固定装置と、前記第一固定装置に固定されている撮影装置と、投影装置と、を備え、前記第一固定装置は、電子装置を固定し、前記投影装置は、前記第二固定装置に固定されているプロジェクタと、車のフロントガラスに貼設されている投影フィルムと、を備え、前記車用電子装置の表示拡大方法は、
前記撮影装置が、前記電子装置の映像を撮影し、且つ撮影された映像をデジタル信号に変換して前記投影装置に送信するステップと、
前記投影装置が、前記撮影装置からのデジタル信号を受信してデジタル信号を映像データに変換し、且つ前記映像データに基づいて映像を投影フィルム上に投影するステップと、を備えることを特徴とする車用電子装置の表示拡大方法。
【発明の詳細な説明】
【技術分野】
【０００１】
本発明は、自動車技術領域に関し、特に車を運転している際に電子装置を安全に使用できる車用電子装置システム及び車用電子装置の表示拡大方法に関するものである。
【背景技術】
【０００２】
技術の発展に伴い、現在、ＧＰＳナビゲータ、携帯電話等のスマート電子デバイスが幅広く車に使用されている。しかし、車を運転している際に電子装置を見る場合、運転者は片手で電子装置を保持して操作してはならない。従って、電子装置を操作するために、一般的には、電子装置を車のフロントガラス、車の送風口或いは車のコンソール上に固定する。しかし、電子装置の表示画面は小さいため、運転中に電子装置に表示されている内容をはっきり見ることが難しい。また、電子装置は、運転者の視線を遮る場合があるため、事故を起こし易い。
【発明の概要】
【発明が解決しようとする課題】
【０００３】
前記課題を解決するために、本発明は、車を運転している際に電子装置を安全に使用できる車用電子装置システム及び車用電子装置の表示拡大方法を提供する。
【課題を解決するための手段】
【０００４】
本発明に係る車用電子装置システムは、電子装置の映像を車のフロントガラスに投影させるために用いられ、車のセンターコンソール上に固定される第一固定装置と、車のフロントガラスに隣接したセンターコンソール上に固定される第二固定装置と、第一固定装置に固定されている撮影装置と、投影装置と、を備える。第一固定装置は、電子装置を固定し、投影装置は、第二固定装置に固定されているプロジェクタと、車のフロントガラスに貼設されている投影フィルムと、を備える。撮影装置は、第一固定装置上に固定されている電子装置の映像を撮影し、且つ投影装置に送信し、投影装置は、受信した電子装置の映像を投影フィルム上に投影する。
【０００５】
本発明に係る車用電子装置の表示拡大方法は、電子装置の映像を車のフロントガラスに投影させるための車用電子装置システムに応用される。車用電子装置システムは、車のセンターコンソール上に固定される第一固定装置と、車のフロントガラスに隣接したセンターコンソール上に固定される第二固定装置と、前記第一固定装置に固定されている撮影装置と、投影装置と、を備える。第一固定装置は、電子装置を固定し、投影装置は、第二固定装置に固定されているプロジェクタと、車のフロントガラスに貼設されている投影フィルムと、を備える。車用電子装置の表示拡大方法は、撮影装置が、電子装置の映像を撮影し、且つ撮影された映像をデジタル信号に変換して投影装置に送信するステップと、投影装置が、撮影装置からのデジタル信号を受信してデジタル信号を映像データに変換し、且つ映像データに基づいて映像を投影フィルム上に投影するステップと、を備える。
【発明の効果】
【０００６】
従来の技術と比べて、本発明の車用電子装置システムは、撮影装置及び投影装置によって電子装置の映像を車のフロントガラスに投影することができるので、運転している際に、運転者は、視線を走行している道路からはずすことなく、車のフロントガラスの投影フィルムによって、電子装置の映像を見るとことができる。また、車のフロントガラスを介して、交通情報も見ることができるため事故を起こしにくい。
【図面の簡単な説明】
【０００７】
【図１】本発明の実施形態に係る車用電子装置システムの断面図である。
【図２】図１に示した車用電子装置システムの撮影装置及び投影装置のブロック図である。
【図３】本発明の実施形態に係る車用電子装置の表示拡大方法のフローチャートである。
【発明を実施するための形態】
【０００８】
以下、図面を参照して、本発明の実施形態について説明する。
【０００９】
図１を参照すると、本発明の実施形態に係る車用電子装置システム１００は、車２００に応用され、電子装置の映像を車２００のフロントガラス２４０に投影するために用いられる。
【００１０】
車２００は、センターコンソール２２０及びセンターコンソール２２０に連接されているフロントガラス２４０を備える。車２００は、さらに、他の機構又はモジュールを備えるが、ここでの説明は省略する。
【００１１】
車用電子装置システム１００は、第一固定装置１２０、第二固定装置１４０、撮影装置１６０及び投影装置１８０を備える。
【００１２】
第一固定装置１２０は、運転者が電子装置を容易に操作することができるように、運転席（図示せず）に隣接したセンターコンソール２２０上に固定される。第一固定装置１２０は、センターコンソール２２０上に固定されるベース１２１と、ベース１２１に連接されている固定台１２２と、固定台１２２の一端に連接されているホルダ１２３を備える。
【００１３】
ベース１２１の一端は、センターコンソール２２０上に固定され、ベース１２１の他端は、固定台１２２の一側に連接されている。ベース１２１は、センターコンソール２２０と一体に成型されてもよい。或いは、吸着、粘着又は係合等の方式によってセンターコンソール２２０上に固定されてもよい。
【００１４】
固定台１２２のベース１２１とは反対の側には、電子装置３００が固定される。固定台１２２は、ベース１２１上に回転可能に枢着されるため、固定台１２２は、ベース１２１に対して角度を調整することができる。これにより運転者は、電子装置３００を適当な操作位置に調整することができる。
【００１５】
ホルダ１２３は、固定台１２２の一端に回転可能に枢着されている。従って、ホルダ１２３は、固定台１２２に対して角度を調整することができる。撮影装置１６０は、このホルダ１２３の固定台１２２とは反対側の一端に固定されている。つまり、撮影装置１６０の角度も調整することができるため、電子装置３００のスクリーンの映像を完全に撮影することができる。
【００１６】
第二固定装置１４０は、フロントガラス２４０に隣接しているセンターコンソール２２０の上部に固定される。
【００１７】
図２を併せて参照すると、撮影装置１６０は、撮影ユニット１６１、記憶ユニット１６２、処理ユニット１６３及び通信ユニット１６４を備える。撮影ユニット１６１は、電子装置３００に表示される映像を撮影するために用いられる。記憶ユニット１６２は、撮影ユニット１６１によって撮影された表示映像を格納するために用いられる。処理ユニット１６３は、撮影ユニット１６１、記憶ユニット１６２及び通信ユニット１６４を制御し、且つ記憶ユニット１６２に格納された映像をデジタル信号に変換する。通信ユニット１６４は、処理ユニット１６３によって変換されたデジタル信号を投影装置１８０に送信する。
【００１８】
投影装置１８０は、第二固定装置１４０に固定されているプロジェクタ１８１と、フロントガラス２４０に貼設されている投影フィルム１８２と、を備える。
【００１９】
プロジェクタ１８１は、通信ユニット１８１１、処理ユニット１８１２、記憶ユニット１８１３及び投影ユニット１８１４を備える。通信ユニット１８１１は、撮影装置１６０からのデジタル信号を受信し、処理ユニット１８１２は、デジタル信号を映像データに変換し、記憶ユニット１８１３は、映像データを格納し、投影ユニット１８１４は、映像データに基づいて投影フィルム１８２上に映像を投影する。プロジェクタ１８１は、第二固定装置１４０に回転可能に枢着されているため、プロジェクタ１８１は、第二固定装置１４０に対して角度を調整することができる。これにより、所望の映像を投影フィルム１８２上に投影することができる。
【００２０】
本実施形態において、投影フィルム１８２は、透明なホログラフィック投影フィルムである。プロジェクタ１８１によって投影された映像は、投影フィルム１８２上にはっきりと表示される。運転者は、投影フィルム１８２を介して交通情報を見ることができる。
【００２１】
本実施形態において、撮影装置１６０によって撮影された映像は、有線伝送方式或いは無線伝送方式によってプロジェクタ１８１に送信されてもよい。
【００２２】
車用電子装置システム１００を使用する時、先ず、電子装置３００を固定台１２２上に固定する。次に、固定台１２２とベース１２１との間の角度、ホルダ１２３と固定台１２２との間の角度及び第二固定装置１４０とプロジェクタ１８１との間の角度を調整して、電子装置３００の表示映像を投影フィルム１８２上に投影する。これにより、運転者は、運転している際に、フロントガラス２４０に貼設されている投影フィルム１８２を介して、電子装置３００の表示映像を見ることができる。
【００２３】
図３を参照すると、本発明の実施形態に係る車用電子装置の表示拡大方法は、以下のステップＳ４１０〜ステップＳ４４０を備える。
【００２４】
ステップＳ４１０において、電子装置３００を固定台１２２上に固定させる。次に、固定台１２２とベース１２１との間の角度、ホルダ１２３と固定台１２２との間の角度及び第二固定装置１４０とプロジェクタ１８１との間の角度を調整する。これにより、運転者に対して適当な電子装置３００の表示映像を投影フィルム１８２上に投影することができる。
【００２５】
ステップＳ４２０において、固定台１２２上に固定されている電子装置３００を操作する。
【００２６】
ステップＳ４３０において、撮影ユニット１６１は、電子装置３００に表示される映像を撮影し、記憶ユニット１６２は、撮影された映像を格納し、処理ユニット１６３は、記憶ユニット１６２に格納された映像をデジタル信号に変換し、通信ユニット１６４は、処理ユニット１６３によって変換されたデジタル信号を投影装置１８０に送信する。
【００２７】
ステップＳ４４０において、通信ユニット１８１１は、撮影装置１６０からのデジタル信号を受信し、処理ユニット１８１２は、撮影装置１６０からのデジタル信号を映像データに変換し、記憶ユニット１８１３は、映像データを格納し、投影ユニット１８１４は、映像データに基づいて投影フィルム１８２上に映像を投影する。
【００２８】
本発明の車用電子装置システム１００は、撮影装置１６０及び投影装置１８０によって電子装置３００の映像を車２００のフロントガラス２４０に投影することができるので、運転者は、運転している最中に、視線を走行している道路からはずすことなく、車２００のフロントガラス２４０の投影フィルム１８２によって、電子装置３００の映像を見るとことができる。また、車２００のフロントガラス２４０を介して、交通情報も見ることができるため、事故を起こしにくい。
【符号の説明】
【００２９】
１００  車用電子装置システム
２００  車
３００  電子装置
２２０  センターコンソール
２４０  フロントガラス
１２０  第一固定装置
１２１  ベース
１２２  固定台
１２３  ホルダ
１４０  第二固定装置
１６０  撮影装置
１８０  投影装置
１８１  プロジェクタ
１８２  投影フィルム
１６１  撮影ユニット
１６２、１８１３  記憶ユニット
１６３、１８１２  処理ユニット
１６４、１８１１  通信ユニット
１８１４  投影ユニット
【図１】
2016078831.tif 000003
【図２】
2016078831.tif 000004
【図３】
2016078831.tif 000005